(57)【要約】【課題】営巣させた巣を簡単に撤去できる巣撤去装置を提供する。【解決手段】本発明は、鳥類に営巣させるための受け板１０と、受け板１０を営巣状態に付勢する付勢手段１２とを備え、受け板１０を傾動方向に作用する負荷が、受け板１０を営巣状態に付勢する付勢手段１２の付勢力以下の場合、受け板１０を営巣可能な状態とし、前記負荷が付勢手段１２の付勢力を超えた場合、受け板１０を撤去状態にする。受け板１０の撤去状態において、巣Ｘは受け板１０から落下して撤去される。【選択図】図４
2019135994.tif 000002
【特許請求の範囲】
【請求項１】
柱状物に対して傾動可能に支持された受け板であって、鳥類が営巣可能な営巣状態と傾動により営巣された巣を落下させる撤去状態とを取り得る受け板と、該受け板を営巣状態となるように付勢する付勢手段とを備えていることを特徴とする巣撤去装置。
【請求項２】
前記受け板の傾動方向に作用する負荷が、前記付勢手段による営巣状態となる方向への付勢力以下の場合、前記受け板を前記営巣状態とし、前記受け板の傾動方向に作用する負荷が前記付勢力を超えた場合、前記受け板を前記撤去状態にするように構成されていることを特徴とする請求項１に記載の巣撤去装置。
【発明の詳細な説明】
【技術分野】
【０００１】
本発明は、柱状物の所定箇所に鳥に営巣させつつ、営巣された巣を撤去する巣撤去装置に関する。
【背景技術】
【０００２】
この種の巣撤去装置が特許文献１に提案されている。該巣撤去装置５は、図７に示すように、電柱（柱状物）Ｐに対し水平方向に突出するよう取付けられた一対のアーム５０,５０と、該一対のアーム５０,５０により水平支持された籠５１と、一対のアーム５０，５０の水平支持に対するロック、および該ロック解除を手動操作する傾動規制手段５２とを備えている。
【０００３】
前記構成の巣撤去装置５によれば、図７の実線に示すように、作業者は、籠５１内において営巣するまでの間、籠５１を傾動規制手段５２により水平位置で保持しその状態で放置する。作業者は、巡回点検などによって籠５１内に営巣された巣（図示せず）を確認すると、傾動規制手段５２を手動操作して、図７の鎖線に示すように、籠５１を水平位置から下方に向かって自重で回動させ、籠５１から巣を落下させ、籠５１内の巣を撤去する。撤去後、作業者は、籠５１を水平位置に戻し、傾動規制手段５２を手動操作して籠５１を水平位置で保持する。
【先行技術文献】
【特許文献】
【０００４】
【特許文献１】特開２０１３−１１６０５８号公報
【発明の概要】
【発明が解決しようとする課題】
【０００５】
ところで、鳥による営巣は、電柱Ｐだけではなく鉄塔にも同様になされる。人が入り込むのが厳しい山間部の鉄塔では、営巣させた巣を撤去することが極めて難しい。前記山間部の鉄塔に上記構成の巣撤去装置５を適用したとしても、傾動規制手段５２を作業者が手動操作する必要があるため、巣を撤去することは困難であると考えられる。また、籠５１にかかる重さをセンサで検知して前記傾動規制手段５２を電気的に制御することも考えられるが、前記山間部に電気制御の機器を設置する必要があり、容易ではない。
【０００６】
そこで、本発明は、営巣させた巣を簡単に撤去できる巣撤去装置を提供することを目的とする。
【課題を解決するための手段】
【０００７】
本発明の巣撤去装置は、柱状物に対して傾動可能に支持された受け板であって、鳥類が営巣可能な営巣状態と傾動により営巣された巣を落下させる撤去状態とを取り得る受け板と、該受け板を営巣状態となるように付勢する付勢手段とを備えていることを特徴とする。
【０００８】
上記構成を備えた巣撤去装置では、鳥類の営巣によって、受け板の自重や巣の重さ等による傾動方向に作用する負荷（力）が大きくなり、営巣状態が維持できなくなると、受け板は撤去状態となり、営巣された巣が受け板から落下する。したがって、本願発明の巣撤去装置では、営巣させた巣を簡単に撤去できる。撤去後、受け板には、営巣された巣の重さがなくなり、付勢手段によって受け板が営巣状態に復帰する。したがって、本願発明の巣撤去装置では、柱状物に取り付けるだけで、手動操作または電気制御することなく、営巣された巣を撤去できる。
【０００９】
本発明においては、前記受け板の傾動方向に作用する負荷が、前記付勢手段による営巣状態となる方向への付勢力以下の場合、前記受け板を前記営巣状態とし、前記受け板の傾動方向に作用する負荷が前記付勢力を超えた場合、前記受け板を前記撤去状態にするように構成されていてもよい。
【００１０】
上記構成を備えた巣撤去装置では、受け板の自重、営巣された巣の重さ等によって傾動方向に作用する負荷（力）が付勢手段による営巣状態となる方向への付勢力以下の場合には、受け板は、傾動させられることがなく、営巣状態に維持される。鳥類による営巣によって前記負荷が付勢力を超えた場合には、受け板が傾動し撤去状態となり、営巣された巣が受け板から落下する。したがって、本願発明の巣撤去装置では、営巣させた巣を簡単に撤去できる。撤去後、受け板には、営巣された巣の重さがなくなり、受け板が営巣状態に復帰する。したがって、本願発明の巣撤去装置では、柱状物に取付けるだけで、手動操作または電気制御することなく、営巣された巣を撤去できる。
【発明の効果】
【００１１】
本発明に係る巣撤去装置は、手動操作または電気制御することなく、営巣された巣を撤去できるので、営巣させた巣の撤去を簡単に行うことができる。
【図面の簡単な説明】
【００１２】
【図１】図１は、本発明の第一実施形態に係る巣撤去装置を取付けた鉄塔を示した概略正面図。
【図２】図２は、図１の概略平面図。
【図３】図３は、本発明の第一実施形態に係る巣撤去装置を示した斜視図。
【図４】図４は、図３の側面図。
【図５】図５は、本発明の第二実施形態に係る巣撤去装置を示した図。
【図６】図６は、図５の側面図。
【図７】図７は、従来の巣撤去装置を示した図。
【発明を実施するための形態】
【００１３】
本発明の実施形態に係る巣撤去装置について説明する。はじめに本実施形態に係る巣撤去装置が取付けられる鉄塔（柱状物）について説明する。
【００１４】
図１および図２に示すように、鉄塔１００は、Ｌ型の鋼材によりトラス構造に骨組みされ、水平方向に突設された複数のアームＡ１〜Ａ４を備えている。鉄塔１００は、地面Ｇに立設された４本の支柱１０１と、各支柱１０１の高さ方向に所定の間隔をおいて配置された複数の枠体１０３と、各枠体１０３および各枠体１０３間に形成された前後左右の四角形状の枠部に対角線状に配置された斜材１０４とで構成されている。
【００１５】
枠体１０３は、各支柱１０１間に横方向に架け渡された４本の梁材１０２によって平面視四角形状に枠組みされている。梁材１０２は、図３に示すように、横板１０２ａと、該横板１０２ａの端部から垂直方向に延びる縦板１０２ｂとを備える。
【００１６】
（第一実施形態）
つぎに第一実施形態に係る巣撤去装置について説明する。図１〜図４に示すように、巣撤去装置１は、鉄塔（柱状物）１００に対して傾動可能に支持された受け板１０と、該受け板１０を鳥類が営巣可能な営巣状態となるように付勢する付勢手段１２とを備える。
【００１７】
受け板１０は、上面が水平に沿った状態であって、鳥類が営巣可能な営巣状態と傾動により営巣された巣を落下させる撤去状態とを取り得る。受け板１０は、鉄塔１００の最下位置のアームＡ４の下方の枠体１０３の対向する梁材１０２，１０２にそれぞれ配置され、軸受部１１によって傾動させられる。具体的に、受け板１０は、図２および図３に示すように、営巣させるための平面視矩形状の板材で、受け板１０の一端部１０ａは、鉄塔１００の梁材１０２に対し平行に配置され、受け板１０の他端部１０ｂは、鉄塔１００の４本の支柱１０１で囲まれた領域Ｒ内に位置している。
【００１８】
軸受部１１は、図３に示すように、受け板１０の一端部１０ａ側において両側部１０ｃ，１０ｃを貫通した受け板１０を傾動させるための軸１１０と、該軸１１０の一端部を回動自在に支持する背高の支持板１２０と、軸１１０の他端部を回動自在に支持する背低の支持板１２０ａとを備える。背高の支持板１２０は、後述の一方の取付金具１３の第一延出部１３１に立設されている。背高の支持板１２０には、軸１１０の一端部を回動支持する軸受１１１ａが設けられている。背低の支持板１２０ａは、後述の他方の取付金具１３の第一延出部１３１に立設されている。背低の支持板１２０ａには、軸１１０の他端部を回動支持する軸受１１１ｂが設けられている。
【００１９】
本実施形態においては、受け板１０の傾動方向に作用する負荷（力）が付勢手段１２による営巣状態となる方向への付勢力以下の場合、受け板１０を営巣状態とし、受け板１０の傾動方向に作用する負荷が前記付勢力を超えた場合、受け板１０を撤去状態にするように構成されており、一対の取付金具１３によって鉄塔１００の梁材１０２に取付けられる。付勢手段１２は、図３および図４に示すように、前記背高の支持板１２０の上部に配置された第一の滑車１２１と、背高の支持板１２０の下部に配置された第二の滑車１２２と、第二の滑車１２２の斜め下方に配置された小滑車１２３と、第一の滑車１２１に巻き掛けられたワイヤＷと、所定の重さに設定された錘１２４とを備える。
【００２０】
ワイヤＷの一端部には、錘１２４が接続され、ワイヤＷの他端部は、第二の滑車１２２と小滑車１２３との間を通って、受け板１０の一端部１０ａから他端部１０ｂに向かって引出され、該他端部１０ｂに連結されている。錘１２４の重さは、受け板１０の自重、予想される親鳥Ｙの重さや位置、予想される完成間際の巣Ｘの重さや位置から想定される傾動方向に作用する負荷よりも、錘１２４によって生じる営巣状態となる方向への付勢力が小さくなる重さの範囲で設定されている。
【００２１】
取付金具１３は、受け板１０の一端部１０ａ側に、受け板１０を挟むように配置され、支持部材１３０と、ボルトＢとを備える。支持部材１３０は、梁材１０２の横板１０２ａにあてがわれる水平支持部１３０ａと、梁材１０２の縦板１０２ｂにあてがわれる垂直支持部１３０ｂと、該垂直支持部１３０ｂの上端部から横板１０２ａとは逆方向に延びる第一延出部１３１と、該第一延出部１３１の先端から下方に延びる第二延出部１３２とを備える。
【００２２】
水平支持部１３０ａの長さは、梁材１０２の横板１０２ａの幅寸法よりも長く設定されている。水平支持部１３０ａには、その端部から途中位置にかけて横板１０２ａの幅寸法よりも長く設定された切欠き１３３が形成されている。
【００２３】
垂直支持部１３０ｂの長さは、梁材１０２の縦板１０２ｂの高さ寸法よりも長く設定されている。垂直支持部１３０ｂには、その長手方向に沿って縦板１０２ｂの高さ寸法よりも長く、且つ垂直支持部１３０ｂの長さよりも短く設定された長孔１３４が形成されている。
【００２４】
ボルトＢは、梁材１０２に取付金具１３を固定する際に使用される。具体的に、取付金具１３の水平支持部１３０ａは梁材１０２の横板１０２ａにあてがわれ、垂直支持部１３０ｂは梁材１０２の縦板１０２ｂにあてがわれる。この際、長孔１３４の上端部側は縦板１０２ｂから臨出し、切欠き１３３の開口端部側は横板１０２ａから臨出する。この状態において、ボルトＢは、垂直支持部１３０ｂの長孔１３４から水平支持部１３０ａの切欠き１３３に向かって斜め方向に挿入される。ボルトＢの頭部Ｂ１は、長孔１３４の周縁部に対し斜めに係止され、ボルトＢのネジ部Ｂ２は、切欠き１３３に対し斜めに挿入される。ネジ部Ｂ２には、ナットＮが螺合し切欠き１３３の周縁部に係止される。これにより、梁材１０２に取付金具１３が固定される。
【００２５】
つぎに第一実施形態に係る巣撤去装置１の使用方法について説明する。はじめに、作業者は、図１および図２に示すように、鉄塔１００の最下位置のアームＡ４の下方の枠体１０３の対向する梁材１０２，１０２にそれぞれ巣撤去装置１を取付ける。取付けた後、図４の実線に示すように、受け板１０内において営巣するまでの間、受け板１０を営巣状態（水平位置）で放置する。営巣中における受け板１０の傾動方向に作用する負荷が付勢力以下の場合、受け板１０は、営巣状態で維持される。
【００２６】
営巣されるに伴って受け板１０の傾動方向に作用する負荷が大きくなることで、受け板１０の傾動方向に作用する負荷が付勢力を超えた場合、受け板１０は、図４の鎖線に示すように、受け板１０が営巣状態（水平位置）から撤去状態（下方に傾動した状態）となる。これにより、巣Ｘは受け板１０から滑落して撤去される。
【００２７】
巣Ｘの撤去後、受け板１０の傾動方向に作用する負荷は低減するので、受け板１０は、付勢力によって元の営巣状態に戻される。
【００２８】
以上説明したように、前記第一実施形態に係る巣撤去装置によれば、営巣させるための受け板１０の傾動方向に作用する負荷が付勢力以下の場合、受け板１０を営巣状態に維持し、受け板１０の傾動方向に作用する負荷が付勢力を超えた場合、受け板１０を営巣状態から撤去状態になるよう構成したので、柱状物にセットした後、手動操作または電気制御することなく営巣させた巣を簡単に撤去できる。
【００２９】
（第二実施形態）
つぎに第二実施形態に係る巣撤去装置について説明する。図５および図６に示すように、巣撤去装置２は、鉄塔（柱状物）１００に対して傾動可能に支持された受け板１０と、該受け板１０を鳥類が営巣可能な営巣状態に付勢する付勢手段２１とを備える。なお、付勢手段２１は、第一実施形態と同じ構成の取付金具１３によって、鉄塔１００の梁材１０２に取付けられる。取付金具１３の構成は、第一実施形態の説明をもって、第二実施形態の説明に兼用する。
【００３０】
受け板１０は、第一の実施形態と同様に、鳥類が営巣可能な営巣状態と傾動により営巣された巣を落下させる撤去状態とを取り得る。受け板１０は、鉄塔１００の最下位置のアームＡ４の下方の枠体１０３の対向する梁材１０２，１０２にそれぞれ配置され、軸受部２０によって傾動させられる。具体的に、受け板１０は、図５に示すように、営巣させるための平面視矩形状の板材で、受け板１０の一端部１０ａは、鉄塔１００の梁材１０２に対し平行に配置され、受け板１０の他端部１０ｂは、鉄塔１００の４本の支柱１０１で囲まれた領域Ｒ内に位置している。
【００３１】
軸受部２０は、受け板１０の端部１０ａから延設された接続部２００と、該接続部２００に貫設された受け板１０を傾動させるための軸２０１と、該軸２０１の両端部を回動自在に支持する二つの支持板２０２，２０２とを備える。各支持板２０２は、二つの取付金具１３の第一延出部１３１にそれぞれ取付けられ、各支持板２０２，２０２には、軸２０１の両端部を回動支持する軸受２０３，２０３が配置されている。
【００３２】
付勢手段２１は、前記接続部２００と、該接続部２００の先端に取り付けられた錘２１０とを備えている。錘２１０は、前記負荷よりも付勢力が小さく、且つ受け板１０を営巣状態に維持できる重さに設定されている。
【００３３】
本実施形態においては、各支持板２０２の上端面に固設された、受け板１０が撤去状態となる方向とは反対方向に傾動することを防止するためのストッパー２１１を備えている。該ストッパー２１１は、支持板２０２の上端部から受け板１０側に向かって延びる平面視矩形状の板材であり、Ｕ状に折り曲げられた折曲部２１１ａの下面に受け板１０の上面が接離自在に当接する。
【００３４】
つぎに第二実施形態に係る巣撤去装置の使用方法について説明する。はじめに、作業者は、第一実施形態と同様に、鉄塔１００の最下位置のアームＡ４の下方の枠体１０３の対向する梁材１０２，１０２にそれぞれ巣撤去装置１を取付ける（図１および図２参照）。取付けた後、図６の実線に示すように、受け板１０内において営巣するまでの間、受け板１０を営巣状態に維持した状態で放置する。営巣中における受け板１０の傾動方向に作用する負荷が付勢力以下の場合には、付勢手段２１によって、受け板１０が営巣状態に維持される。
【００３５】
営巣されるに伴って受け板１０の傾動方向に作用する負荷が大きくなることで、受け板１０は、付勢手段２１による付勢力を超えた場合、すなわち受け板１０の自重、巣Ｘの重さ等によって、受け板１０の傾動方向に作用する負荷が前記付勢力よりも大きくなった場合、図６の鎖線に示すように、受け板１０が営巣状態から傾動により撤去状態となる。これにより、巣Ｘは受け板１０から落下して撤去される。
【００３６】
巣Ｘの撤去後、受け板１０の傾動方向に作用する負荷は低減する。すなわち営巣された巣Ｘの重さはなくなるので、受け板１０は、元の営巣状態に戻される。
【００３７】
以上説明したように、前記各実施形態に係る巣撤去装置によれば、営巣させるための受け板１０の傾動方向に作用する負荷が付勢手段の付勢力以下の場合、受け板１０を営巣状態に維持し、受け板１０の傾動方向に作用する負荷が付勢手段の付勢力を超えた場合、受け板１０を営巣状態から撤去状態になるよう構成したので、柱状物にセットした後、手動操作または電気制御することなく営巣させた巣を簡単に撤去できる。
【００３８】
なお、本発明は、前記各実施形態に限定されるものではなく、種々変更することができる。
【００３９】
例えば、前記第一実施形態では、巣撤去装置１は、付勢手段１２として、受け板１０の一端部１０ａ側に、第一の滑車１２１と、第二の滑車１２２と、小滑車１２３と、ワイヤＷとを配置した例を示した。しかしながら、図４の鎖線に示すように、付勢手段は、受け板１０の他端部１０ｂ側に、滑車１２１Ａと、該滑車１２１Ａに巻き掛けられたワイヤＷと、ワイヤＷに接続された錘１２４Ａとを配置したものであってもよい。
【００４０】
また、前記第二実施形態では、巣撤去装置２は、受け板１０の一端部１０ａ側にストッパー２１１を配置した例を示した。しかしながら、図６の鎖線に示すように、巣撤去装置２は、受け板１０の他端部１０ｂ側にストッパー２１１Ａを配置したものであってもよい。
【符号の説明】
【００４１】
１，２…巣撤去装置、１０…受け板、１０ａ…受け板の一端部、１０ｂ…受け板の他端部、１０ｃ…受け板の側部、１１…軸受部、１１０…軸、１１１ａ，１１１ｂ…軸受、１２…付勢手段、１２０，１２０ａ…支持板、…第一の滑車、１２２…第二の滑車、１２３…小滑車、１２４，１２４Ａ…錘、１２１Ａ…滑車、１３…取付金具、１３０…支持部材、１３０ａ…水平支持部、１３０ｂ…垂直支持部、１３１…第一延出部、１３２…第二延出部、１３３…切欠き、１３４…長孔、Ｂ…ボルト、Ｂ１…ボルトの頭部、Ｂ２…ボルトのネジ部、Ｎ…ナット、Ｗ…ワイヤ、Ｘ…巣、Ｙ…親鳥、２０…軸受部、２００…接続部、２０１…軸、２０２…支持板、２０３…軸受、２１…付勢手段、２１０…錘、２１１，２１１Ａ…ストッパー、１００…鉄塔、１０１…支柱、１０２…梁材、１０２ａ…梁材の横板、１０２ｂ…梁材の縦板、１０３…枠体、１０４…斜材、Ａ１〜Ａ４…鉄塔のアーム、Ｇ…地面、Ｒ…領域
【図１】
2019135994.tif 000003
【図２】
2019135994.tif 000004
【図３】
2019135994.tif 000005
【図４】
2019135994.tif 000006
【図５】
2019135994.tif 000007
【図６】
2019135994.tif 000008
【図７】
2019135994.tif 000009